(57)【要約】【課題】  本発明は容器の容量に応じた燃料の供給量を正確に供給することを課題とする。【解決手段】  ポリ容器２２の下面には、当該容器容量に関するデータが記憶されたＩＣタグ５０が取り付けられている。ＩＣタグリーダ・ライタ５２は、ポリ容器２２が容器載置部１４に載置された時点で当該ＩＣタグ５０から返信されたデータを読み取る。そして、ＩＣタグ５０は、ＩＣタグリーダ・ライタ５２から送信された電波を受信すると、当該ポリ容器２２に関するデータを無線信号（電波）で送信する。ＩＣタグリーダ・ライタ５２は、ＩＣタグ５０から送信された無線信号を受信すると、その無線信号に含まれるデータを制御部３４に出力する。制御部３４は、ＩＣタグ５０から送信されたポリ容器２２の容量を供給するように制御すると共に、ＩＣタグリーダ・ライタ５２からデータの入力がされなくなったことが検出された場合には、燃料の供給を停止する。【選択図】  図１
2007030921.tif 000002
【特許請求の範囲】
【請求項１】
搬送可能な容器が載置される容器載置部と、該容器載置部に載置された容器の供給口に挿入されるノズルと、該ノズルを介して予め設定された所定の燃料を前記容器に供給するように制御する制御手段とを有する燃料供給装置において、
前記容器に設けられ、当該容器の容量を示すデータが予め記憶された記憶手段と、
前記記憶手段から前記データを読み取るデータ読み取り手段と、
該データ読み取り手段から入力された前記データに基づいて当該容器に供給すべき燃料の供給量を設定する供給量設定手段と、
を有することを特徴とする燃料供給装置。
【請求項２】
前記制御手段は、前記容器への燃料の供給途中において前記データ読み取り手段からデータの入力がされなくなったことが検出された場合には、燃料の供給を停止する供給停止手段を有することを特徴とする請求項１に記載の燃料供給装置。
【請求項３】
前記記憶手段は、前記データ読み取り手段からのデータ要求を受信する受信手段と、前記データ要求に応じて無線信号によりデータを送信する送信手段と、を有することを特徴とする請求項１に記載の燃料供給装置。
【発明の詳細な説明】
【技術分野】
【０００１】
本発明は燃料供給装置に係り、特に顧客自身がセルフサービス方式で容器に燃料を供給するよう構成された燃料供給装置に関する。
【背景技術】
【０００２】
給油所では、ガソリンや軽油以外の油種として灯油の販売も行っている。
【０００３】
灯油専用の計量機は、通常のガソリンや軽油等の計量機と同様に、地上固定式の計量機よりなり、給油ノズルを昇降可能に支持して給油する方法、あるいは計量機の側面から下方に延在された給油管をポリ容器の給油口に挿入して給油する方法が採用されている。
【０００４】
この種の従来の灯油用計量機では、ポリ容器の容量（例えば１８リットルまたは２０リットル）に応じたプリセットスイッチ釦をオンに操作して給油可能量を設定すると、設定されたプリセット値の量だけ灯油をポリ容器に給油する。また、複数のポリ容器に給油する場合、上記プリセットスイッチ釦を複数回オンに操作するか、連続プリセット釦をオンに操作して複数個の給油可能量を設定すると、設定された複数のプリセット値の回数だけ複数のポリ容器に給油することができる。
【０００５】
また、従来の灯油用の給油装置としては、例えば、給油ノズルが昇降可能に支持されており、ポリ容器が載置台に載置されると、給油ノズルを降下させてポリ容器の給油口に給油ノズルを挿入して給油を開始するように構成されている（例えば、特許文献１参照）。
【０００６】
また、別の灯油用の給油装置としては、例えば、複数の容器が横並びに載置される載置台と、載置台に載置された容器に挿入されるノズルと、複数の容器に順次給油するためにノズルを左右方向に摺動可能に支持するスライド機構と、容器に給油する給油量を設定する設定部とを備えた構成のものがある（例えば、特許文献２参照）。
【特許文献１】特開平１１−９１８９３号公報
【特許文献２】特開２００２−２８９３号公報
【発明の開示】
【発明が解決しようとする課題】
【０００７】
上記引用文献１，２では、給油されるポリ容器の種類によって容量が異なるため、ポリ容器の外観やポリ容器に表示された数値から容量を判断して給油可能量を推測することが多い。
【０００８】
そして、従来は、顧客がポリ容器の容量に応じた給油量を設定するため、顧客自身がポリ容器の容量を間違えてしまうと、例えば１８リットルのポリ容器に２０リットルを設定した場合には、２リットル分の灯油がオーバフローしてしまい、２０リットルのポリ容器に１８リットルを設定した場合には、ポリ容器を満タンにできないまま給油が終了してしまう。
【０００９】
さらに、従来の燃料供給装置においては、１回目のポリ容器が１８リットルのポリ容器で２回目のポリ容器が２０リットルであるといったように外観形状が似ている容量の異なるポリ容器が複数ある場合には、給油量の設定を間違えやすく、給油終了するまで給油量の設定間違いに気づかないという問題があった。
【００１０】
そこで、本発明は上記課題を解決した燃料供給装置を提供することを目的とする。
【課題を解決するための手段】
【００１１】
上記課題を解決するため、本発明は以下のような手段を有する。
【００１２】
請求項１記載の発明は、搬送可能な容器が載置される容器載置部と、該容器載置部に載置された容器の供給口に挿入されるノズルと、該ノズルを介して予め設定された所定の燃料を前記容器に供給するように制御する制御手段とを有する燃料供給装置において、前記容器に設けられ、当該容器の容量を示すデータが予め記憶された記憶手段と、前記記憶手段から前記データを読み取るデータ読み取り手段と、該データ読み取り手段から入力された前記データに基づいて当該容器に供給すべき燃料の供給量を設定する供給量設定手段と、を有することを特徴とする。
【００１３】
請求項２記載の発明は、前記制御手段が、前記容器への燃料の供給途中において前記データ読み取り手段からデータの入力がされなくなったことが検出された場合には、燃料の供給を停止する供給停止手段を有することを特徴とする。
【００１４】
請求項３記載の発明は、前記記憶手段が、前記データ読み取り手段からのデータ要求を受信する受信手段と、前記データ要求に応じて無線信号によりデータを送信する送信手段とを有することを特徴とする。
【発明の効果】
【００１５】
本発明によれば、データ読み取り手段が容器に設けられた記憶手段から当該容器の容量を示すデータを読み取り、データ読み取り手段から入力されたデータに基づいて当該容器に供給すべき燃料の供給量を設定するため、容器容量が分からない場合にも容器容量よりも多い供給量を設定してオーバフローさせたり、あるいは容器容量よりも少ない供給量を設定して供給量不足になるといったことがなくなり、常に容器容量に応じた供給量を正確に供給することができる。
【００１６】
また、本発明によれば、容器への燃料の供給途中においてデータ読み取り手段からデータの入力がされなくなったことが検出された場合には、燃料の供給を停止するため、容器容量を判別できない状態で燃料を供給することを防止し、容器容量不明により事故の発生を未然に防止することができる。
【００１７】
また、本発明によれば、記憶手段が、データ読み取り手段からのデータ要求を受信する受信手段と、データ要求に応じて無線信号によりデータを送信する送信手段を有するため、容器がデータ読み取り手段に近接した状態のときに記憶手段からデータを読み取ることができ、複数の容器の記憶手段間で混信しないようにして当該容器のデータのみを読み取ることが可能になる。
【発明を実施するための最良の形態】
【００１８】
以下、図面を参照して本発明を実施するための最良の形態について説明する。
【実施例１】
【００１９】
図１は本発明になる燃料供給装置の一実施例を示す構成図である。図１に示されるように、燃料供給装置１０は、顧客自身が灯油のセルフサービス給油を行う給油装置であり、計量機１２と、計量機１２の片側に設けられた容器載置部１４と、計量機１２の上部に設けられた操作部１６と、容器載置部１４の後方に設けられたノズル支持部１８と、ノズル支持部１８に支持された給油ノズル２０とを有する。計量機１２の内部には、図示しないが、ポンプ、電磁弁、流量計などを有する給油系統が設けられている。
【００２０】
給油ノズル２０は、ノズル支持部１８を介して計量機１２の給油系統と連通しており、ノズル支持部１８の角度を調整することでポリ容器２２の供給口２２ａに挿入される。操作部１６には、液晶ディスプレイ（LCD）からなる表示器２４と、プリペイドカードリーダ２６の挿入口と、供給量設定スイッチ２８ａ，２８ｂ、給油開始スイッチ３０、給油終了スイッチ３２の操作ボタンとが設けられている。供給量設定スイッチ２８ａ，２８ｂは、ポリ容器２２に給油される供給量を設定するための設定スイッチである。尚、ポリ容器２２の容量が１８リットルの場合には、１８リットル用供給量設定スイッチ２８ａが押下され、ポリ容器２２の容量が２０リットルの場合には、２０リットル用供給量設定スイッチ２８ａが押下される。
【００２１】
計量機１２の制御部３４は、管理コンピュータ３６とＳＳ−ＬＡＮケーブル３８を介して接続されており、給油終了時にポリ容器２２に給油した給油量や給油時刻、計量機番号、プリペイドカード番号などのデータを管理コンピュータ３４に出力する。
【００２２】
上記燃料供給装置１０が設置された給油所では、プリペイドカード方式でセルフサービス給油を行える清算システムが導入されている。そのため、当該給油所の入り口付近には、プリペイドカード券売機４０が設置されている。
【００２３】
プリペイドカード券売機４０は、給油量を指定する給油量ボタン４０ａと、投入すべき金額及びつり銭を表示する表示器４０ｂと、紙幣投入口４０ｃ、硬貨投入口４０ｄ、つり銭返却及び発券口４０ｅとを有する。尚、給油量ボタン４０ａには、２０リットル容器用として２０L，４０L，６０Lと記載されたスイッチボタンと、１８リットル容器用として１８L，３６L，５４Lと記載されたスイッチボタンが配置されている。
【００２４】
例えば、顧客が２０リットルのポリ容器２２を２個持参した場合には、合計で４０リットルの給油量ボタン４０ａを押圧操作し、表示器４０ｂに表示された金額の貨幣を紙幣投入口４０ｃ、硬貨投入口４０ｄに投入することで、当該金額に相当するポイントが記憶されたプリペイドカード４２がつり銭返却及び発券口４０ｅから発券される。
【００２５】
従って、空のポリ容器２２を持参した顧客は、給油する前にプリペイドカード券売機４０にて給油すべき給油量（供給量）に応じた金額（給油可能金額）が記憶されたプリペイドカード４２を購入する。そして、顧客は、プリペイドカード４２を持って計量機１２の前に移動し、ポリ容器２２を容器載置部１４上に載置する。
【００２６】
ノズル支持部１８は、スライド機構（図示せず）により左右方向に移動可能に設けられている。このスライド機構は、容器載置部１４に複数のポリ容器２２が載置されたときに給油ノズル２０を左右方向に摺動させて各ポリ容器２２の供給口２２ａに挿入できるように位置合わせが容易に行える。また、ノズル支持部１８は、４箇所に関節部（詳細は周知であるので省略する）を有し、各関節を回動させることで給油ノズル２０の挿入位置を任意の位置に調整することができる。
【００２７】
図２に示されるように、ポリ容器２２の下面には、当該容器容量に関するデータが記憶された記憶手段としてのＩＣタグ５０が取り付けられている。このＩＣタグ５０は、容器載置部１４に設けられたＩＣタグリーダ・ライタ（データ読み取り手段）５２が発する無線信号（データ要求信号）を受信する受信手段と、受信した無線信号による電磁誘導により電流を発生させて記憶しているデータを無線信号（電波）で送信する送信手段を有する。また、ＩＣタグ５０には、当該ポリ容器２２の容量（リットル）及び当該ポリ容器２２の識別データが記憶されている。
【００２８】
また、ＩＣタグリーダ・ライタ５２は、ポリ容器２２の下面に対向するように容器載置部１４の上面に埋設されており、最も近接したポリ容器２２のＩＣタグ５０に対して無線信号を送信しデータ通信を行う通信機能を有しており、ポリ容器２２が容器載置部１４に載置された時点で当該ＩＣタグ５０から返信されたデータを読み取るものである。
【００２９】
容器載置部１４上にポリ容器２２を載置する際は、供給口２２ａがノズル支持部１８の近傍に位置する向きに載置する。これにより、ポリ容器２２の下面に設けられたＩＣタグ５０が容器載置部１４に設けられたＩＣタグリーダ・ライタ５２と近接対向する。
【００３０】
そして、ＩＣタグ５０は、ＩＣタグリーダ・ライタ５２から送信された電波を受信すると、当該ポリ容器２２に関するデータを無線信号（電波）で送信する。尚、ＩＣタグ５０及びＩＣタグリーダ・ライタ５２は、複数のポリ容器２２が載置された場合に無線信号が混信しないように送信レベルを低く設定してあり、例えば、ＩＣタグ５０とＩＣタグリーダ・ライタ５２との離間距離が１０ｃｍ以内の場合に通信可能状態となる。
【００３１】
ＩＣタグリーダ・ライタ５２は、ＩＣタグ５０から送信された無線信号を受信すると、その無線信号に含まれるデータを制御部（制御手段）３４に出力する。
【００３２】
制御部３４のメモリには、ポリ容器２２への燃料の供給途中においてＩＣタグリーダ・ライタ５２からデータの入力がされなくなったことが検出された場合には、燃料の供給を停止する制御プログラム（供給停止手段）が格納されている。
【００３３】
図３は制御部３４に接続された各機器を示すブロック図である。図３に示されるように、制御部３４は、マイクロコンピュータなどからなり、上記表示器２４、プリペイドカードリーダ２６、供給量設定スイッチ２８ａ，２８ｂ、給油開始スイッチ３０、給油終了スイッチ３２、ＩＣタグリーダ・ライタ５２の他に、管理コンピュータ３６からのＳＳ−ＬＡＮケーブル３８が接続されたルータ５６と、給油を行うポンプ７０、開弁または閉弁して給油の開始または終了させる電磁弁７２、給油ノズル２０から吐出される流量を計測する流量計７４が接続されている。
【００３４】
ここで、顧客の操作手順について説明する。
（手順１）ポリ容器２２に灯油を給油する場合、顧客は、上記プリペイドカード券売機４０によりプリペイドカード４２を購入した後、計量機１２に隣接された容器載置部１４に空のポリ容器２２を載置する。このとき、ＩＣタグリーダ・ライタ５２は、無線によりポリ容器２２の下面に設けられたＩＣタグ５０から送信された当該ポリ容器２２の容量及び当該ポリ容器２２の識別データを読み取る。
（手順２）ノズル支持部１８を前後方向にスライドさせて給油ノズル２０の位置をポリ容器２２の供給口２２ａに挿入する。
（手順３）顧客は、プリペイドカード４２をプリペイドカードリーダ２６に挿入する。
（手順４）給油開始スイッチ３０をオンに操作して給油開始する。
（手順５）ポリ容器２２への給油が終了すると、給油ノズル２０をポリ容器２２の供給口２２ａから引き上げる。ポリ容器２２の供給口２２ａにキャップ（図示せず）を閉めた後、ポリ容器２２を容器載置部１４から下ろす。
【００３５】
ここで、上記のように構成された燃料供給装置１０の給油動作に制御部３４が実行する制御処理を図４のフローチャートを参照して説明する。
【００３６】
制御部３４は、図４に示すＳ１１において、プリペイドカード４２がプリペイドカードリーダ２６に挿入されたか否かをチェックする。Ｓ１１でプリペイドカードリーダ２６にプリペイドカード４２が挿入されたときは、Ｓ１２に進み、プリペイドカード４２に記憶された給油可能量を読み込むと共に、ＩＣタグ５０に対してＩＣタグリーダ・ライタ５２からデータ要求信号（無線信号）を送信する。
【００３７】
次のＳ１３では、ＩＣタグ５０から送信されたデータ信号を受信したか否かをチェックする。Ｓ１３において、ＩＣタグ５０から送信されたデータ信号を受信した場合には、Ｓ１４に進み、ＩＣタグ５０から送信されたデータ信号に含まれる当該ポリ容器２２の容量及び当該ポリ容器２２の識別データを読み込み、この容器容量を給油予定量として設定する（供給量設定手段）。
【００３８】
また、上記Ｓ１３において、ＩＣタグ５０から送信されたデータ信号を受信しない場合には、Ｓ１３ａに進み、警報を発してポリ容器２２が容器載置部１４に無いことを報知する。そして、上記Ｓ１１に戻り、顧客がポリ容器２２を容器載置部１４に載置してＳ１１以降の処理を再度実行する。
【００３９】
次のＳ１５では、設定された容器容量とプリペイドカード４２から読み込まれた給油可能量とを比較し、容器容量≦給油可能量か否かをチェックする。Ｓ１５において、容器容量が給油可能量以上のときは、Ｓ１６に進み、プリペイドカード４２の残高不足と判断し、プリペイドカード４２を返却する。そして、Ｓ１１に戻り、Ｓ１１以降の処理を再度やり直す。
【００４０】
また、Ｓ１５において、設定された容器容量が給油可能量未満のときは、Ｓ１７に進み、給油開始スイッチ３０がオンに操作されたか否かをチェックする。そして、Ｓ１７で給油開始スイッチ３０がオンに操作されると、Ｓ１８に進み、再度、ＩＣタグ５０に対してデータ要求信号（無線信号）を送信し、ＩＣタグ５０から送信されたデータ信号（当該ポリ容器２２の容量及び当該ポリ容器２２の識別データ）を受信したか否かをチェックする。
【００４１】
Ｓ１８において、ＩＣタグ５０から送信されたデータ信号を受信されないときは、Ｓ１９に進み、警報を発してポリ容器２２が容器載置部１４に無いことを報知する。そして、上記Ｓ１７に戻り、顧客がポリ容器２２を容器載置部１４に載置してＳ１７以降の処理を再度実行する。
【００４２】
また、上記Ｓ１８において、ＩＣタグ５０から送信されたデータ信号を受信されたときは、Ｓ２０に進み、ポンプ駆動信号を出力してポンプ７０を起動すると共に、電磁弁開弁信号を出力して電磁弁７２を開弁させてポリ容器２２への給油を開始する。
【００４３】
続いて、Ｓ２１では、流量計７４より出力された流量計測信号を読み込み、給油量を演算する。そして、Ｓ２２に進み、計測された給油量が設定された容器容量（給油予定量）に達したか否かをチェックする。
【００４４】
Ｓ２２において、流量計７４により計測された給油量が容器容量に達していないときは、Ｓ２３に進み、給油終了スイッチ３２がオンに操作されたか否かをチェックする。このＳ２３において、給油終了スイッチ３２がオンに操作されていないときは、Ｓ２４に進み、
再度、ＩＣタグ５０に対してデータ要求信号（無線信号）を送信し、ＩＣタグ５０から送信されたデータ信号（当該ポリ容器２２の容量及び当該ポリ容器２２の識別データ）を受信したか否かをチェックする。そして、Ｓ２４において、ＩＣタグ５０から送信されたデータ信号を受信したときは、給油継続中であるので、上記Ｓ２１に戻り、Ｓ２１〜Ｓ２４の処理を繰り返す。
【００４５】
また、上記Ｓ２２において、流量計７４により計測された給油量がＳ１４で設定された容器容量に達したときは、Ｓ２５に進み、ポンプ駆動信号の出力を停止してポンプ７０を停止させると共に、電磁弁開弁信号の出力を停止して電磁弁７４を閉弁させる。これにより、ポリ容器２２への給油が停止する。
【００４６】
また、上記Ｓ２３において、給油終了スイッチ３２がオンに操作されたときは、あるいはＳ２４において、ＩＣタグ５０から送信されたデータ信号を受信できないときは、ポリ容器２２が容器載置部１４にないので、上記Ｓ２５に進み、給油を停止させる（供給停止手段）。そのため、複数のポリ容器２２を容器載置部１４に載置させて各容器に燃料を供給する場合、ノズル支持機構１８の位置にポリ容器２２がない場合には燃料を供給できず、燃料が容器載置部１４に流出することを防止できる。
【００４７】
また、ポリ容器２２への燃料の供給途中に何らかの原因によりポリ容器２２が倒れたり、移動してしまった場合においてもＩＣタグ５０から送信されたデータ信号を受信することができなくなることにより、燃料の供給が自動的に停止されるので、給油ノズル２０よりの燃料が流出してしまうことを防止できる。
【００４８】
次のＳ２６では、まだ給油していない残予定給油量の設定データが存在するか否かをチェックする。Ｓ２６において、まだ給油していない残予定給油量の設定データが存在するときは、２番目のポリ容器２２への給油を行なうため、上記Ｓ１７に戻り、Ｓ１７以降の処理を再度実行する。
【００４９】
また、Ｓ２６において、まだ給油していない残予定給油量の設定データが存在しないときは、給油予定量が全て給油されたものと判断して今回の処理を終了する。
【００５０】
本実施例では、容器載置部１４上に２個のポリ容器２２を載置することが可能であり、且つスライド機構（図示せず）によりノズル支持部１８を左右方向に移動させることができるので、２個のポリ容器２２を載置したまま給油することもできる。
【００５１】
このように、制御部３４は、ポリ容器２２に設けられたＩＣタグ５０から当該容器の容量を示すデータを読み取り、ＩＣタグリーダ・ライタ５２から入力されたデータに基づいて当該容器に供給される供給量を設定するため、容器容量が分からない場合にも容器容量よりも多い給油量を設定してオーバフローさせたり、あるいは容器容量よりも少ない給油量を設定して給油量不足になるといったことがなくなり、常に容器容量に応じた満タン給油を正確に行なうことができる。
【００５２】
また、制御部３４は、ＩＣタグリーダ・ライタ５２からデータの入力がされなくなったことが検出された場合には、燃料の供給を停止するするため、容器容量を判別できない状態で給油することを防止し、容器容量不明により事故の発生を未然に防止することができる。
【実施例２】
【００５３】
図５は実施例２に適用されたPOS装置と容器載置台との構成を示す構成図である。図５に示されるように、給油所の事務所等に設置されたPOS装置７８は、容器載置台１４に設けられたＩＣタグリーダ・ライタ５２とデータ通信可能に接続されている。ＩＣタグリーダ・ライタ５２は、容器載置部１４に載置されたポリ容器２２の下部に取り付けられたＩＣタグ５０に対してデータ要求信号を送信し、ＩＣタグ５０から送信されたＩＣタグデータを受信してPOS装置７８に転送する。
【００５４】
また、ＩＣタグ５０には、当該ポリ容器２２の容量Ａ（リットル）、給油可能金額Ｂ、給油可能金額に対応する数量Ｃ（給油可能量）、灯油１リットル当たりの単価Ｄ、給油料金の支払い方法などが記憶されている。ポリ容器２２への給油を行なう顧客は、まず、事務所のPOS装置７８の当該ポリ容器２２に取り付けられたＩＣタグ５０に記憶されているデータをＩＣタグリーダ・ライタ５２に読み取らせて給油料金の清算を先に行う。POS装置７８による給油料金の清算が終了すると、顧客はポリ容器２２を持って燃料供給を行う給油エリアへ移動する。
【００５５】
図６は実施例２の燃料供給装置を示す構成図である。図６に示されるように、燃料供給装置８０は、給油エリアに設置されており、車両８２に搭載された車載通信装置８４とDSRC（Dedicated Short Range Communication）方式またはETC（Electronic Toll Collection system）の狭域通信によりデータ通信を行う通信アンテナ８６を有する。また、燃料供給装置８０は、レギュラーガソリン、ハイオクガソリン、灯油などの各燃料の給油系統と、これら給油系統の各機器を制御する制御部８８とを有する。
【００５６】
燃料供給装置８０の側面には、容器載置部１４が設けられており、容器載置部１４には前述したＩＣタグリーダ・ライタ５２が設けられている。そして、ＩＣタグリーダ・ライタ５２は、制御部８６とデータ通信可能に接続されており、容器載置部１４に載置されたポリ容器２２の下部に取り付けられたＩＣタグ５０から送信されたデータ信号を受信し、制御部８６にＩＣタグデータを転送する。
【００５７】
また、燃料供給装置８０は、各給油系統に連通された給油ノズル９０ａ〜９０ｃが設けられている。尚、燃料供給装置８０の各給油系統の機器は、前述した実施例１（図４を参照）と同様であり、同一符号を付してその説明を省略する。
【００５８】
ここで、POS装置７８が実行する制御処理について図７のフローチャートを参照して説明する。
【００５９】
POS装置７８は、図７に示されるように、顧客が持参したポリ容器２２が容器載置台１４に載置されると、Ｓ３１において、ＩＣタグリーダ・ライタ５２によりポリ容器２２のＩＣタグ５０から送信されたデータの中に含まれる給油可能金額Ｂを読み取る。
【００６０】
次のＳ３２では、ＩＣタグ５０に記憶された給油可能金額Ｂがゼロか否かをチェックする。Ｓ３２において、給油可能金額Ｂがゼロであるときは、Ｓ３３に進み、ＩＣタグ５０に記憶された当該ポリ容器２２の容量を読み出す。
【００６１】
続いて、Ｓ３４に進み、ＩＣタグ５０から読み込んだ容器容量Ａに単価Ｄを掛けて給油料金を演算し、この給油料金から給油可能金額Ｂ（Ｂ＝０）を減算した金額（支払い額ｂ）を請求する。尚、ポリ容器２２を持参した顧客の車両８２が車載通信装置８４を有する場合には、車載通信装置８４を介してクレジットカードにより不足分（支払い額ｂ）を自動的に清算する。
【００６２】
次のＳ３５では、給油料金の支払いが完了したか否かをチェックする。Ｓ３５において、現金またはクレジットカードにより支払い額ｂの支払いが完了した場合には、Ｓ３６に進み、支払い額ｂを給油可能金額Ｂに加算した金額をＩＣタグ５０の給油可能金額Ｂとして記憶させ、この給油可能金額Ｂを単価Ｄで除算して給油可能数量ＣをＩＣタグ５０に記憶させる。さらに、今回の支払い方法が現金かクレジットカードかをＩＣタグ５０に記憶させる。これで、POS装置７８による支払い処理が終了する。
【００６３】
また、上記Ｓ３２において、給油可能金額Ｂがゼロでないときは、図８に示すＳ３７に進み、給油可能金額Ｂを返金するか否かをチェックする。Ｓ３７において、給油可能金額Ｂを返金しない場合には、上記Ｓ３３に戻る。また、Ｓ３７において、給油可能金額Ｂを返金する場合は、Ｓ３８に進み、ＩＣタグ５０に記憶された支払い方法を読み出す。
【００６４】
次のＳ３９において、ＩＣタグ５０から読み出した支払い方法が現金の場合には、Ｓ４０に進み、給油可能金額Ｂを返金する。そして、Ｓ４２に進み、ＩＣタグ５０に記憶されている給油可能金額Ｂをクリア（Ｂ＝０）する。
【００６５】
また、上記Ｓ３９において、ＩＣタグ５０から読み出した支払い方法が現金でない場合には、Ｓ４１０に進み、給油可能数量Ｃを記載したレシートを発行する。そして、Ｓ４２に進み、ＩＣタグ５０に記憶されている給油可能金額Ｂをクリア（Ｂ＝０）する。
【００６６】
ここで、燃料供給装置８０の制御部８６が実行する制御処理について図９のフローチャートを参照して説明する。
【００６７】
制御部８６は、顧客がポリ容器２２を燃料供給装置８０の容器載置部１４に載置すると、図９に示すＳ５１において、ＩＣタグリーダ・ライタ５２によりＩＣタグ５０に記憶されたデータを読み込めるか否かをチェックする。Ｓ５１でＩＣタグリーダ・ライタ５２とＩＣタグ５０との間で通信可能であり、ＩＣタグ５０から当該ポリ容器２２のデータが読み込めるときは、Ｓ５２に進み、ＩＣタグ５０に記憶されているデータ（当該ポリ容器２２の容量Ａ（リットル）、給油可能金額Ｂ、給油可能金額に対応する数量Ｃ（給油可能量）、灯油１リットル当たりの単価Ｄ）を読み込む。
【００６８】
続いて、Ｓ５３では、ＩＣタグ５０に記憶されている給油可能金額Ｂが単価Ｄ以上であることを確認する。Ｓ５３において、ＩＣタグ５０に記憶されている給油可能金額Ｂが単価Ｄ未満のときは、給油可能金額Ｂが少ないので、Ｓ５４に進み、顧客に対して「先にレジにて支払いをお願いします」といった音声メッセージをアナウンスする。そして、上記Ｓ５１に戻り、Ｓ５１以降の処理をやり直す。
【００６９】
また、上記Ｓ５３において、ＩＣタグ５０に記憶されている給油可能金額Ｂが単価Ｄ以上である場合には、図１０に示すＳ５５に進み、ＩＣタグ５０に記憶されている給油可能数量Ｃがポリ容器２２の容量Ａ以上か否かをチェックする。このＳ５５において、ＩＣタグ５０に記憶されている給油可能数量Ｃがポリ容器２２の容量Ａ以上であるときは、ポリ容器２２の容量Ａを給油目標量Ｘのプリセット値としてセットする。また、上記Ｓ５５において、ＩＣタグ５０に記憶されている給油可能数量Ｃがポリ容器２２の容量Ａ未満のときは、Ｓ５７に進み、給油可能数量Ｃを給油目標量Ｘのプリセット値としてセットする。
【００７０】
続いて、Ｓ５８に進み、給油開始スイッチ３０がオンに操作されたか否かをチェックする。Ｓ５８において、給油開始スイッチ３０がオンに操作されないときは、Ｓ５９に進み、給油終了スイッチ３２がオンに操作されたか否かをチェックする。Ｓ５９において、給油終了スイッチ３２がオンに操作されないときは、上記Ｓ５８に戻り、Ｓ５８、Ｓ５９の処理を繰り返す。また、上記Ｓ５９において、給油終了スイッチ３２がオンに操作されたときは、後述する図１１に示すＳ７３に進み、給油目標量Ｘ及び給油量Ｙをクリアする。
【００７１】
また、Ｓ５８において、顧客が灯油用の給油ノズル９０ｃをポリ容器２２の給油口２２ａに挿入し、給油開始スイッチ３０をオンに操作したときは、Ｓ６０に進み、給油ポンプ７０を起動させると共に電磁弁７２を開弁させる。続いて、Ｓ６１で流量計７４により計測された積算流量からポリ容器２２への給油量を計数する。
【００７２】
次のＳ６２では、ＩＣタグリーダ・ライタ５２によりＩＣタグ５０に記憶されたデータを読み込めるか否かをチェックする。このＳ６２において、ＩＣタグリーダ・ライタ５２とＩＣタグ５０との間で通信不能であり、ＩＣタグ５０から当該ポリ容器２２のデータが読み込めないときは、後述する図１１に示すＳ７１に進み、給油ポンプ７０を停止して電磁弁７２を閉弁させる。次のＳ７２では、給油終了スイッチ３２がオンに操作されたか否かをチェックする。そして、Ｓ７２において、給油終了スイッチ３２がオンに操作されると、Ｓ７３に進み、給油目標量Ｘ及び給油量Ｙをクリアする。
【００７３】
また、上記Ｓ６２において、ＩＣタグリーダ・ライタ５２とＩＣタグ５０との間で通信可能であり、ＩＣタグ５０から当該ポリ容器２２のデータが読み込めるときは、Ｓ６３に進み、ＩＣタグ５０に記憶された給油可能金額Ｂを読み込み、この給油可能金額Ｂより給油量Ｙに単価Ｄを乗じた値（給油金額）を減算し、この値を新給油可能金額ＢとしてＩＣタグ５０の記憶領域に書き込み、給油可能金額Ｂを更新する。
【００７４】
この後は、図１１に示すＳ６４に進み、給油終了スイッチ３２がオンに操作されたか否かをチェックする。Ｓ６４において、給油終了スイッチ３２がオンに操作されないときは、Ｓ６６に進み、給油量Ｙが給油目標量Ｘに達したか否かをチェックする。この上記Ｓ６６において、給油量Ｙが給油目標量Ｘに達していないときは、Ｓ６１に戻り、Ｓ６１以降の処理を繰り返す。また、Ｓ６４において、給油終了スイッチ３２がオンに操作されたときは、Ｓ６５に進み、給油ポンプ７０を停止させると共に電磁弁７２を閉弁し、その後Ｓ７３に進み、給油目標量Ｘ及び給油量Ｙをクリアする。
【００７５】
また、上記Ｓ６６において、給油量Ｙが給油目標量Ｘに達したときは、Ｓ６７に進み、給油ポンプ７０を停止させると共に電磁弁７２を閉弁し、Ｓ６８で「給油が終了しました」といった音声メッセージをアナウンスする。
【００７６】
次のＳ６９では、給油可能金額Ｂに残金があるか否かをチェックする。Ｓ６９において、給油可能金額Ｂに残金がある場合には、Ｓ７０に進み、「残金があります、続けて給油するかレジまでお越し下さい」といった音声メッセージをアナウンスする。この後は、Ｓ７３に進み、給油目標量Ｘ及び給油量Ｙをクリアする。また、Ｓ６９において、給油可能金額Ｂに残金がない場合には、Ｓ７３に進み、給油目標量Ｘ及び給油量Ｙをクリアする。これで、今回の給油処理が終了する。
【００７７】
このように、ポリ容器２２の下部にＩＣタグ５０を取り付け、ＩＣタグ５０に記憶されたデータ（当該ポリ容器２２の容量Ａ（リットル）、給油可能金額Ｂ、給油可能金額に対応する数量Ｃ（給油可能量）、灯油１リットル当たりの単価Ｄ、給油料金の支払い方法など）を容器載置部１４のＩＣタグリーダ・ライタ５２により読み取ることにより、給油料金の清算及び給油目標量Ｘの設定を自動的に行えるので、ポリ容器２２への給油にかかわる負担が大幅に軽減される。
【実施例３】
【００７８】
図１２は実施例３を示す正面図である。図１３は実施例３を示す側面図である。図１２及び図１３に示されるように、燃料供給装置１００は、ポリ容器２２を載置する容器載置部１４と、容器載置部１４の背面側に起立する計量機１０２とを有する。計量機１０２は、上部１０２ａにスイベル継ぎ手１０４を介してＸ，Ｙ方向に回動可能に支持された給油パイプ１０６が吊下されており、給油パイプ１０６の下端には給油ノズル１０８が連通されている。また、上部１０２ａには、ＩＣタグ５０から送信された電波を受信するアンテナ１１０と、ＩＣタグリーダ・ライタ５２と、表示器１１２とが設けられている。
【００７９】
ポリ容器２２は、上部にＩＣタグ５０が取り付けられており、ＩＣタグ５０はアンテナ１１０に向けて上方に電波を送信するように構成されている。さらに、容器載置部１４の前面には、赤外線センサなどからなる人検知センサ１１４が設けられている。この人検知センサ１１４は、人検知センサ１１４の正面に人が立つと、その反射波を受信して人の存在を検知する人検知手段である。
【００８０】
計量機１０２の筐体１０２ｂの内部には、給油パイプ１０６に連通された給油系統が設けられ、各給油系統ごとの給油ポンプ７０、電磁弁７２、流量計７４が収納されている。顧客がポリ容器２２を容器載置部１４に載置すると、ＩＣタグリーダ・ライタ５２が通信アンテナ１１０を介してデータ要求信号を無線で送信する。データ要求信号を受信したＩＣタグ５０は、アンテナ１１０に向けて記憶しているデータを無線信号で送信する。
【００８１】
給油所の係員が給油ノズル１０８をポリ容器２２の給油口２２ａに挿入して給油開始スイッチ３０をオンに操作すると、人検知センサ１１４が顧客を検知していることを条件として給油ポンプ７０を起動させて電磁弁７２を開弁させる。従って、ポリ容器２２への給油中に顧客が移動してしまうと、顧客が戻るまで、給油を中断することになり、給油中の安全性が高められている。
【００８２】
図１４は実施例３の変形例を示す側面図である。図１４に示されるように、燃料供給装置１２０は、容器載置部１４の後面に赤外線センサなどからなる人検知センサ１１４が設けられている。従って、給油ノズル１０８を操作する人が容器載置部１４の後面側に立っている場合に給油ポンプ７０を起動させて電磁弁７２を開弁させる。従って、給油操作する操作者が移動してしまうと、操作者が戻るまで、給油を中断することになり、給油中の安全性が高められている。
【産業上の利用可能性】
【００８３】
尚、上記実施例では、灯油を販売する場合を一例として挙げたが、これに限らず、灯油以外の燃料をセルフサービス方式でポリ容器に給油する場合にも適用できるのは言うまでもない。
【００８４】
また、上記実施例では、ポリ容器２２にＩＣタグ５０を取り付けられる構成として説明したが、ＩＣタグの取り付け方法は、接着によりポリ容器２２にＩＣタグ５０を貼り付けても良いし、あるいはポリ容器２２に取り付けられて荷札にＩＣタグ５０を貼り付けても良い。あるいは、粘着テープにＩＣタグ５０を埋め込んでおくことにより、粘着テープと共にポリ容器２２に貼り付ける方法でも良い。
【００８５】
さらに、ポリ容器２２のデータを記憶する記憶手段としては、ＩＣタグ５０に限らず、これ以外の記憶手段（例えば、バーコードや磁気ストライプ）でも良い。
【００８６】
また、ＩＣタグ５０は電波によりデータを送信、受信する構成であるが、電波以外の信号（光信号）を用いた通信手段を備えたものでも良いのは勿論である。
【図面の簡単な説明】
【００８７】
【図１】本発明になる燃料供給装置の一実施例を示す構成図である。
【図２】ポリ容器に取り付けられたＩＣタグとＩＣタグリーダ・ライタとの位置関係を示す斜視図である。
【図３】制御部３４に接続された各機器を示すブロック図である。
【図４】制御部３４が実行する制御処理を説明するためのフローチャートである。
【図５】実施例２に適用されたPOS装置と容器載置台との構成を示す構成図である。
【図６】実施例２の燃料供給装置を示す構成図である。
【図７】POS装置７８が実行する制御処理を説明するためのフローチャートである。
【図８】図７の処理に続いてPOS装置７８が実行する制御処理を説明するためのフローチャートである。
【図９】図８の処理に続いてPOS装置７８が実行する制御処理を説明するためのフローチャートである。
【図１０】図９の処理に続いてPOS装置７８が実行する制御処理を説明するためのフローチャートである。
【図１１】図１０の処理に続いてPOS装置７８が実行する制御処理を説明するためのフローチャートである。
【図１２】実施例３を示す正面図である。
【図１３】実施例３を示す側面図である。
【図１４】実施例３の変形例を示す側面図である。
【符号の説明】
【００８８】
１０，８０，１００，１２０  燃料供給装置
１２，１０２  計量機
１４  容器載置部
１６  操作部
１８  ノズル支持部
２０,１０８  給油ノズル
２２  ポリ容器
２４  表示器
２６  プリペイドカードリーダ
３０  給油開始スイッチ
３２  給油終了スイッチ
３４，８８  制御部
３６  管理コンピュータ
４０  プリペイドカード券売機
４２  プリペイドカード
５０  ＩＣタグ
５２  ＩＣタグリーダ・ライタ
７０  ポンプ
７２  電磁弁
７４  流量計
７８  POS装置
８４  車載通信装置
８６，１１０  通信アンテナ
１０６  給油パイプ
１１４  人検知センサ
【図１】
2007030921.tif 000003
【図２】
2007030921.tif 000004
【図３】
2007030921.tif 000005
【図４】
2007030921.tif 000006
【図５】
2007030921.tif 000007
【図６】
2007030921.tif 000008
【図７】
2007030921.tif 000009
【図８】
2007030921.tif 000010
【図９】
2007030921.tif 000011
【図１０】
2007030921.tif 000012
【図１１】
2007030921.tif 000013
【図１２】
2007030921.tif 000014
【図１３】
2007030921.tif 000015
【図１４】
2007030921.tif 000016